(57)【要約】【課題】書籍の形態としてファイリング孔を備えた書籍、例えばカタログ、パンフレット、取扱説明書等を対象に、完成済み書籍に対して後付け可能な円盤型記録媒体収納ケースを得る。【解決手段】書籍用ファイルに設けられているファイリング孔挿入ピンを挿入させるためのファイリング孔が設けられた書籍に適用するための円盤型記録媒体収納ケースであって、円盤型記録媒体を内部に収納するための本体１〜４と、本体に設けられ、書籍のファイリング孔に挿入されることにより書籍と本体とを結合させるためのファイリング孔挿入ピン７と、本体に設けられ、書籍用ファイルのファイリング孔挿入ピンが挿入されることにより書籍用ファイルと本体とを結合させるためのファイリング孔９とを備えている。【選択図】図１
2006110902.tif 000002
【特許請求の範囲】
【請求項１】
書籍用ファイル側挿入ピンを有する書籍用ファイルと書籍側ファイリング孔が設けられた書籍とに適用するための円盤型記録媒体収納ケースであって、
円盤型記録媒体を内部に収納するための本体と、
前記本体に設けられ、前記書籍側ファイリング孔に挿入されることにより前記書籍と前記本体とを結合させるための結合手段と、
前記本体に設けられ、前記書籍用ファイル側挿入ピンが挿入されることにより前記書籍用ファイルと前記本体とを結合させるためのケース側ファイリング孔と
を備えたことを特徴とする円盤型記録媒体収納ケース。
【請求項２】
前記結合手段は、
前記書籍側ファイリング孔の内径よりも細く形成された収納ケース側挿入ピンと、
前記収納ケース側挿入ピンの先端に設けられ、前記書籍側ファイリング孔の内径よりも太く形成された脱落防止部と
から構成されていることを特徴とする請求項１に記載の円盤型記録媒体収納ケース。
【請求項３】
前記収納ケース側ファイリング孔が設けられた本体の一部分が折り込まれていて、前記一部分を折り返すことにより、ファイリング用の綴じ部が形成されることを特徴とする請求項１または２に記載の円盤型記録媒体収納ケース。
【発明の詳細な説明】
【技術分野】
【０００１】
本発明は円盤型記録媒体収納ケースに関し、特に、種々の書籍にコンパクトディスク等の円盤型記録媒体を添付するための円盤型記録媒体収納ケースに関するものである。
【背景技術】
【０００２】
昨今、様々なデータがコンパクトディスク等の円盤型記録媒体に格納され、例えば、紙製や樹脂製の台紙状収納ケースによって書籍と一体化して添付されている（例えば、特許文献１、２および３参照。）。
【０００３】
これらの特許文献１〜３においては、コンパクトディスク等の円盤型記録媒体を書籍に添付するための手段として収納ケース部分を書籍に接着する、あるいは、書籍本文頁の製本時に同時に製本することにより書籍への円盤型記録媒体の添付を実現している。
【０００４】
【特許文献１】特開平８−２０７４６６号公報
【特許文献２】特開２０００−２７２６８８号公報
【特許文献３】特開平７−３１４９４０号公報
【発明の開示】
【発明が解決しようとする課題】
【０００５】
しかしながら、特許文献１〜３に記載されている従来の方法においては次のような問題点があった。
（１）書籍本文頁と同時に円盤型記録媒体の収納ケースを製本する方法では、製本工程が開始するまでにコンパクトディスク等の円盤型記録媒体を準備する必要がある。
（２）上記の（１）の方法は、既存書籍への円盤型記録媒体の添付や、必要数量のみに対して円盤型記録媒体を、後日、添付したい、という要望を実現できない。
（３）書籍に円盤型記録媒体の収納ケースを接着する方法では本来、該頁に記載されるべき内容が排除され、書籍構成上の不利益となる。
（４）上記の（３）の方法は、書籍と収納ケースが一体化されていて、分離を試みることにより書籍が破損する。
【０００６】
この発明は、かかる問題点を解決するためになされたものであり、書籍の形態としてファイリング孔を備えた書籍、例えばカタログ、パンフレット、取扱説明書等を対象に、完成済み書籍に対して後付け可能な円盤型記録媒体収納ケースを得ることを目的としている。
【課題を解決するための手段】
【０００７】
この発明は、書籍用ファイル側挿入ピンを有する書籍用ファイルと書籍側ファイリング孔が設けられた書籍とに適用するための円盤型記録媒体収納ケースであって、円盤型記録媒体を内部に収納するための本体と、前記本体に設けられ、前記書籍側ファイリング孔に挿入されることにより前記書籍と前記本体とを結合させるための結合手段と、前記本体に設けられ、前記書籍用ファイル側挿入ピンが挿入されることにより前記書籍用ファイルと前記本体とを結合させるためのケース側ファイリング孔とを備えた円盤型記録媒体収納ケースである。
【発明の効果】
【０００８】
この発明は、書籍用ファイル側挿入ピンを有する書籍用ファイルと書籍側ファイリング孔が設けられた書籍とに適用するための円盤型記録媒体収納ケースであって、円盤型記録媒体を内部に収納するための本体と、前記本体に設けられ、前記書籍側ファイリング孔に挿入されることにより前記書籍と前記本体とを結合させるための結合手段と、前記本体に設けられ、前記書籍用ファイル側挿入ピンが挿入されることにより前記書籍用ファイルと前記本体とを結合させるためのケース側ファイリング孔とを備えた円盤型記録媒体収納ケースであるので、書籍の形態としてファイリング孔を備えた書籍、例えばカタログ、パンフレット、取扱説明書等を対象に、完成済み書籍に対して後付け可能な円盤型記録媒体収納ケースを得ることができる。
【発明を実施するための最良の形態】
【０００９】
実施の形態１．
この発明は、書籍用ファイルに設けられているファイリング孔挿入ピンを挿入させるためのファイリング孔が設けられた書籍に適用するための円盤型記録媒体収納ケースであり、書籍の形態としてファイリング孔を備えた書籍、例えばカタログ、パンフレット、取扱説明書等を対象に、完成済み書籍に対して後付け可能な円盤型記録媒体収納ケースを例に挙げて説明する。図１は、この発明の実施の形態１に係る円盤型記録媒体収納ケース（以下、収納ケースとする。）の構成を示すもので、当該収納ケースの展開図である。図１に示すように、本実施の形態に係る収納ケース２０は、円盤型記録媒体を収納するための略々矩形の下板１と、下板１の一辺に連接し境界部に谷折りの折目１５を有する円盤型記録媒体の押え板２と、当該一辺に対向した下板１の他の辺に連接し境界部に谷折りの折目１６を有する円盤型記録媒体の押え板３と、当該一辺および他の辺に対して直角の位置にある下板１の辺に連接し境界部に谷折りの折目１７を有し、下板１の上に折り込まれる押え板２及び押え板３の上に折り重ねられる上板４とから構成されている。下板１と上板４とは、ほぼ同じ大きさに形成されているが、下板１の方が綴じ部の部分だけ大きくなっている。なお、下板１、押え板２および３、上板４は、収納ケースの本体を構成しており、当該本体内に、円盤型記録媒体は収納される（図２参照）。
【００１０】
また、上板４には、上板４に穿設した半円状の係止片５が設けられている。また、係止片５に対応させて、係止片５を挿通するためのスリット６が下板１に設けられている。さらに、下板１には、後述する書籍のファイリング孔内径よりも僅かに細く形成されたファイリング孔挿入ピン７（結合手段）が複数個設けられている。ファイリング孔挿入ピン７は、下板１に対して、垂直方向に、まっすぐ上方向に向かって延びている。また、ファイリング孔挿入ピン７の先端部分は、後述する書籍のファイリング孔内径よりも僅かに太く形成された保持構造体８（結合手段の脱落防止部）が設けられている。保持構造体８は、図１においては、略々三角錐の外形を有しているが、その場合に限らず、後述する書籍のファイリング孔内径よりも僅かに太いものであれば、球形でも、角柱型でも、いずれの形でもよいものとする。また、下板１には、ファイリング孔９が複数個設けられている。当該ファイリング孔９は、ファイリング孔挿入ピン７で収納ケース２０と結合した状態の書籍を、後述する書籍用ファイルに装着させるときに、当該書籍用ファイルに設けられているファイル用ピンに装入するための穴である。
【００１１】
図２は、図１に示した収納ケース２０を組立てた状態を示す斜視図である。図２に示すように、円盤型記録媒体３５を収納した状態で、下板１の上に、押え板２及び押え板３が折りこまれ、さらにそれらの押さ板２および３の上に上板４が折り重ねられている。すなわち、下板１と上板４とがちょうど重なり合った状態となっており、係止片５がスリット６内に挿入されて、上板４が開かないように係止めされている。また、ファイリング孔挿入ピン７とファイリング孔９とは、上板４が覆うことなく、外部に露出されている。
【００１２】
図３は、収納ケース２０とファイリング孔２２を備えた書籍２１との結合状態の一例を示す斜視図である。図３に示すように、ファイリング孔２２は、書籍２１の綴じ側の一辺に近い箇所に設けられており、書籍２１を貫通した貫通孔（スルーホール）である。書籍２１のファイリング孔２２に、収納ケース２０に設けられたファイリング孔挿入ピン７が挿入されて、書籍２１と収納ケース２０とを結合している。なお、図３に示すように、ファイリング孔９は、書籍２１が覆いかぶさらずに、外部に露出された状態となっている。
【００１３】
図４は、図３におけるＡ−Ａ断面図である。図４において、書籍２１が備えるファイリング孔２２に、書籍２１のファイリング孔２２の内径よりも僅かに細く形成され、かつ、書籍２１の厚さと略々同じ高さを有する、収納ケース２０のファイリング孔挿入ピン７が挿入されている。このとき、ファイリング孔挿入ピン７の先端部分に設けられた保持構造体８のみが、ファイリング孔２２から、上方向に、突き出た状態となる。保持構造体８は、ファイリング孔２２の内径よりも僅かに太く形成されているため、いったん、ファイリング孔挿入ピン７をファイリング孔２２に挿入して、保持構造体８を突き出させた状態にすると、保持構造体８と書籍２１とが係合されて、脱落しない状態となる。なお、ファイリング孔挿入ピン７および保持構造体８とは、わずかに弾力性あるいは柔軟性を有した材質から構成することが望ましい。
【００１４】
図５は、図３に示すように結合させた書籍２１と収納ケース２０とを書籍用ファイル３０に綴じた状態を示した斜視図である。図５において、書籍２１に備えられていたファイリング孔２２は、収納ケース２０上のファイリング孔挿入ピン７により、書籍２１と収納ケース２０との結合用として使用済みであるが、収納ケース２０に付設されたファイリング孔９を書籍用ファイル３０が有するファイリング孔挿入ピン３１に挿入することにより、収納ケース２０と書籍用ファイル３０とが結合され、書籍本来のファイリング機能を確保している。なお、ファイリング孔挿入ピン３１がファイリング孔９から脱落しないように、ファイリング孔挿入ピン３１の先端部分に保持構造体８のようなファイリング孔９の内径よりもわずかに太く形成された部分を設けるようにするか、あるいは、脱落防止用の金具などにより、脱落しないように固定するようにしてもよい。
【００１５】
以上のように、本実施の形態によれば、円盤型記録媒体３５を内部に収納するための本体１〜４と、本体１〜４に設けられ、書籍２１のファイリング孔２２に挿入されることにより書籍２１と本体１〜４とを結合させるためのファイリング孔挿入ピン７および保持構造体８（結合手段）と、本体１〜４に設けられ、書籍用ファイル３０のファイリング孔挿入ピン３１が挿入されることにより書籍用ファイル３０と本体１〜４とを結合させるためのファイリング孔９とを備えるようにしたので、書籍２１の形態として書籍用ファイルに綴じるためのファイリング孔を備えた書籍、例えば、カタログ、パンフレット、取扱説明書等を対象に、完成済み書籍に対して簡単に後付け可能な円盤型記録媒体を収納するための収納ケースが提供できる。また、本実施の形態の収納ケースを後付けした後も書籍本来のファイリング機能が失われることがない。
【００１６】
実施の形態２．
図６は、この発明の実施の形態２に係る円盤型記録媒体収納ケースを示すものである。図６に示すように、本実施の形態においては、上述の実施の形態１で示した収納ケース２０の構成に加えて、分離可能な状態で収納ケース２３に折込まれる綴じ部１２が設けられていて、必要時のみ一般的な書籍用ファイル３０にファイリングできる綴じ構造を提供可能となっている。
【００１７】
以下に構造について詳細に説明する。図６に示すように、本実施の形態においては、ファイリング孔９とファイリング孔挿入ピン７との略々中間位置で山折りとなる折目１８と、折目１８に対して垂直方向に設けられたスリット１９ａおよび１９ｂとが設けられている。スリット１９ａおよび１９ｂは、図６に示すように、折目１８に近接し、かつ、折目１８と平行な下板１の一辺（符号１ａ）から折目１８に至る位置まで形成されたスリットであり、人間の手の力で分離できる強度（切れる強度）を有した状態でつながっている。そのため、必要な時に、容易に道具等を用いずに人間の手の力で切り離すことが可能である。スリット１９ａは、一方のファイリング孔９と、上記一辺（符号１ａ）に対して直角な下板１の他の辺（符号１ｂ）との略々中間位置に設けられている。スリット１９ｂも、同様に、他方のファイリング孔９と、上記一辺（符号１ａ）に対して直角なもう一方の下板１の他の辺（符号１ｃ）との略々中間位置に設けられている。なお、スリット１９ａおよび１９ｂの代わりに、ミシン目を形成しておいて、同じく、必要なときに、人間の手の力で切るようにしてもよい。
【００１８】
なお、図６に示すように、折目１８により区分されたファイリング孔９を有する部分を綴じ部１０とし、折目１８により区分されたファイリング孔挿入ピン７を有する部分を結合部１１と呼ぶこととする。また、綴じ部１０において、スリット１９ａ及びスリット１９ｂによって区分された部分を中央綴じ部１２とし、綴じ部１０からスリット１９ａによって区分された部分を第１の外側固定片１３ａとし、綴じ部１０からスリット１９ｂによって区分された第２の外側固定片１３ｂと呼ぶこととする。他の構成については、上記の実施の形態１と同様であるため、ここでは、その説明を省略する。
【００１９】
図７は、図６示す収納ケース２３を組立てた状態を裏から見た図である。図７において、収納ケース２３はファイリング孔９を有する綴じ部１０が収納ケース２３の裏面に１８０度折り込まれている。裏面に折込んだ、綴じ部１０の第１の外側固定片１３ａの裏側及び第２の外側固定片１３ｂの裏側は、結合部１１の裏側と、例えば、接着剤、粘着材、溶着、熱圧着等の手段により固定される。
【００２０】
図８は、収納ケース２３の裏面図である。図８においては、綴じ部１０に施されたスリット１９ａ及びスリット１９ｂで区分された中央綴じ部１２を、第１および第２の外側固定片１３ａおよび１３ｂから、スリット１９ａおよび１９ｂを用いて切り離し、中央綴じ部１２のみを、１８０度折り返して元に戻すことで、新たな綴じ部が形成されている。このように、分離可能な状態で収納ケース２３に折込まれた綴じ部１２は、必要時のみ一般的な書籍用ファイル３０にファイリングできる綴じ構造を提供可能となっている。
【００２１】
以上のように、本実施の形態によれば、上述の実施の形態１と同様に、書籍の形態としてファイリング孔を備えた書籍、例えば、カタログ、パンフレット、取扱説明書等を対象に、完成済み書籍に対して簡単に後付け可能な円盤型記録媒体を収納するための収納ケースが提供できる。また、本実施の形態の収納ケースを後付けした後も書籍本来のファイリング機能が失われることがない。さらに、本実施の形態においては、分離可能な状態で収納ケース２３に綴じ部１２を織り込んでおき、必要時のみ一般的な書籍用ファイル３０にファイリングできる綴じ構造を提供可能となる構成としたので、さらに便利である。
【００２２】
なお、上記の実施の形態１および２においては、書籍用ファイル３０にファイリング孔挿入ピン３１が２個設けられている例について説明したが、その場合に限らず、書籍用ファイル３０にファイリング孔挿入ピン３１が任意の個数設けられているものに、この発明の収納ケースは適用可能である。すなわち、収納ケース２０，２３に設けるファイリング孔挿入ピン７およびファイリング孔９のピッチ（配置間隔）を、書籍用ファイル３０のファイリング孔挿入ピン３１のピッチに合わせるようにすればよい。
【００２３】
また、上記の実施の形態１および２で説明した収納ケース２０，２３の材質としては、任意のもので形成可能であるが、例えば、樹脂、適度な強度を有する紙または紙に樹脂コーティングしたもの、ゴム、ビニール等がその例として挙げることができる。
【図面の簡単な説明】
【００２４】
【図１】この発明の実施の形態１に係る円盤型記録媒体収納ケースの構成を示した説明図である。
【図２】この発明の実施の形態１に係る円盤型記録媒体収納ケースの構成を示した説明図である。
【図３】この発明の実施の形態１に係る円盤型記録媒体収納ケースを書籍に取り付けた状態を示した説明図である。
【図４】この発明の実施の形態１に係る円盤型記録媒体収納ケースの構成を示した断面図である。
【図５】この発明の実施の形態１に係る円盤型記録媒体収納ケースを書籍に結合させて書籍用ファイルに取り付けた状態を示した説明図である。
【図６】この発明の実施の形態２に係る円盤型記録媒体収納ケースの構成を示した説明図である。
【図７】この発明の実施の形態２に係る円盤型記録媒体収納ケースの構成を示した説明図である。
【図８】この発明の実施の形態２に係る円盤型記録媒体収納ケースの構成を示した説明図である。
【符号の説明】
【００２５】
１  下板、２  押え板、３  押え板、４  上板、５  係止片、６  スリット、７  ファイリング孔挿入ピン、８  保持構造体、９  ファイリング孔、１０  綴じ部、１１  結合部、１２  中央綴じ部、１３ａ  第１の外側綴じ部、１３ｂ  第２の外側綴じ部、１５，１６，１７  折目、１９ａ，１９ｂ  スリット、２０，２３  円盤型記録媒体収納ケース、２１  書籍、２２  ファイリング孔、３０  書籍用ファイル、３５  円盤型記録媒体。
【図１】
2006110902.tif 000003
【図２】
2006110902.tif 000004
【図３】
2006110902.tif 000005
【図４】
2006110902.tif 000006
【図５】
2006110902.tif 000007
【図６】
2006110902.tif 000008
【図７】
2006110902.tif 000009
【図８】
2006110902.tif 000010